(57)【特許請求の範囲】
【請求項１】
軸物の端面に形成された凹穴に挿入されて前記軸物のセンター出しを行うセンター出し治具であって、
前記軸物側に開口と、該開口の縁部に接続する第１の傾斜面と有するハウジングと、
第２の傾斜面を有する円錐形状または円錐台形状を前記軸物側に有し、前記ハウジング内にスライド可能に収容され、前記開口から前記第２の傾斜面を露出させた状態では前記第１の傾斜面と前記第２の傾斜面とが連続し、前記軸物の端面に接触して前記軸物を前記センター出し治具の中心線に寄せる一つの傾斜面を形成する可動部と、
前記可動部に前記ハウジングに押し込む方向の力が作用した時に反力を発生させる反力発生手段と、
を備えたことを特徴とするセンター出し治具。
【請求項２】
請求項１に記載のセンター出し治具であって、
前記反力発生手段は、前記ハウジングと前記可動部との間の空間に配置されたスプリングである、
ことを特徴とするセンター出し治具。
【発明の詳細な説明】
【技術分野】
【０００１】
本発明は、軸物の加工に用いられるセンター出し治具に関する。
【背景技術】
【０００２】
軸物（中心軸を有する軸、ギヤ、プーリ等の部品全般）を回転させて研削、切削等の加工をする場合、回転中心と軸物の中心とを一致させるために、センター出し治具が用いられる。
【０００３】
センター出し治具は、先端側が円錐形状または円錐台形状になっている治具である。軸物の端面に形成された凹穴にセンター出し治具を挿入し、円錐形状または円錐台形状の傾斜面に軸物の端面を接触させると、軸物の中心が回転中心からずれている場合には軸物の端面が治具の傾斜面に沿って摺動して軸物全体が回転中心側に寄せられので、回転中心と軸物の中心とのずれが解消される（センター出し）。
【先行技術文献】
【特許文献】
【０００４】
【特許文献１】特開平２−１１６４５９号公報
【発明の概要】
【発明が解決しようとする課題】
【０００５】
上記センター出し治具を利用するには、軸物の端部に十分な深さの凹穴が形成されていることが必要である。これは、凹穴の深さが十分でないと、センター出し治具の傾斜面が軸物の端面に接触する前にセンター出し治具の先端が凹穴の底に接触してしまい、傾斜面を利用した上記センター出しを行うことができなくなるからである。その一方で、軸物の端部に十分な深さの凹穴を形成すると、その分、軸物の軸方向長さが長くなってしまい、好ましくない。
【０００６】
そこで、センター出し治具の先端をカットし、センター出し治具の先端が凹穴の底に接触しないようにすることが考えられる。
【０００７】
しかしながら、先端がカットされたセンター出し治具は大きな平坦面を先端に有するため、修正可能な回転中心と軸物の中心とのずれが小さくなってしまうという問題がある。すなわち、回転中心と軸物の中心とのずれが大きいと、センター出し治具の先端と凹穴との間の隙間が小さいためにセンター出し治具を凹穴に挿入する時に平坦面が軸物の端面に接触してしまい、上記センター出しを行うことができない。
【０００８】
本発明は、このような技術的課題に鑑みてなされたもので、軸物の端面に形成される凹穴が浅い場合であってもセンター出しが可能なセンター出し治具を提供することを目的とする。
【課題を解決するための手段】
【０００９】
本発明のある態様によれば、軸物の端面に形成された凹穴に挿入されて前記軸物のセンター出しを行うセンター出し治具であって、前記軸物側に開口と、該開口の縁部に接続する第１の傾斜面と有するハウジングと、第２の傾斜面を有する円錐形状または円錐台形状を前記軸物側に有し、前記ハウジング内にスライド可能に収容され、前記開口から前記第２の傾斜面を露出させた状態では前記第１の傾斜面と前記第２の傾斜面とが連続し、前記軸物の端面に接触して前記軸物を前記センター出し治具の中心線に寄せる一つの傾斜面を形成する可動部と、前記可動部に前記ハウジングに押し込む方向の力が作用した時に反力を発生させる反力発生手段と、を備えたことを特徴とするセンター出し治具が提供される。
【発明の効果】
【００１０】
上記態様によれば、可動部が凹穴の底に接触すると可動部がハウジング内に押し込まれるので、軸物の端面に形成される凹穴が浅い場合であっても、軸物のセンター出しを行うことができる。また、凹穴の深さに合わせてセンター出し治具の先端をカットする必要がないので、センター出し治具の先端（可動部）と凹穴との間の隙間を大きくとることができ、センター出し治具の中心軸と軸物の中心軸とのずれが大きくても、確実に可動部を凹穴に挿入し、軸物のセンター出しを行うことができる。
【図面の簡単な説明】
【００１１】
【図１】本発明の実施形態に係るセンター出し治具及びこれによってセンター出しが行われる軸物の概略図である。
【図２】センター出し治具によってセンター出しが行われる様子を示した図である。
【発明を実施するための形態】
【００１２】
以下、添付図面を参照しながら本発明の実施形態について説明する。
【００１３】
図１は、本発明の実施形態に係るセンター出し治具１及びこれによってセンター出しが行われる軸物２の概略構成を示している。センター出し治具１は、ハウジング１１、可動部１２、及びスプリング１３を備える。軸物２は、例えば、変速機に用いられるリダクションギヤであり、センター出し治具１が挿入される凹穴２１が端面２２に形成されている。
【００１４】
ハウジング１１は、軸物２側に軸物２の端面２２の外径よりも小さな開口１１ｏと、開口１１ｏの縁部に接続する傾斜面１１ｔとを有する。傾斜面１１ｔは、センター出し治具１を軸物２の凹穴２１に挿入することでセンター出しされた軸物２を最終的に支持する支持面として機能する。また、ハウジング１１は、図示しない油圧シリンダに接続されており、油圧シリンダによって軸方向に変位することができる。
【００１５】
可動部１２は、傾斜面１２ｔを有する円錐台形状を軸物２側に有し、ハウジング１１内にスライド可能に収容される。
【００１６】
スプリング１３は、ハウジング１１と可動部１２とによって形成される空間１４内に配置される。スプリング１３が自由長の状態では、傾斜面１２ｔが開口１１ｏから露出するように可動部１２の円錐台形状の部分のみが開口１２ｏから突出し、傾斜面１２ｔとハウジング１１の傾斜面１１ｔとが連続した一つの傾斜面を形成する。
【００１７】
図２は、上記センター出し治具１によって軸物２のセンター出しが行われる様子を示している。
【００１８】
図２（Ａ）は初期状態を示しており、軸物２の中心軸Ｏ２は、センター出し治具１の中心軸Ｏ１、すなわち加工時の回転中心とずれている。
【００１９】
図２（Ａ）の状態から、油圧シリンダによってセンター出し治具１を軸物２に近づけていくと、軸物２の端面２２が可動部１２の傾斜面１２ｔに接触する（図２（Ｂ））。軸物２の中心軸Ｏ２に直交する方向の動きは拘束されていないので、軸物２の端面２２が可動部１２の傾斜面１２ｔに接すると、軸物２の端面２２が可動部１２の傾斜面１２ｔ上を摺動し、軸物２がセンター出し治具１の中心軸Ｏ１に寄せられる（図２（Ｃ））。
【００２０】
このとき、軸物２から可動部１２に対して可動部１２をハウジング１１内に押し込む方向の力が作用するが、軸物２が中心軸Ｏ２に直交する方向に変位して軸物２と可動部１２との間に作用する力を逃がすので、その力は十分小さく、スプリング１３の反力に抗して可動部１２がハウジング１１内に押し込まれることはない。
【００２１】
センター出し治具１をさらに軸物２側に変位させると、軸物２の端面２２がハウジング１１の傾斜面１１ｔに乗り移り、さらに、可動部１２の先端が凹穴２１の底２１ｂに接触すると、可動部１２がスプリング１３の反力に抗してハウジング１１内に押し込まれる。
【００２２】
ハウジング１１の傾斜面１１ｔに乗り移った軸物２の端面２２は、ハウジング１１の傾斜面１１ｔ上をさらに摺動し、これによってセンター出し治具１の中心軸Ｏ１と軸物２の中心軸Ｏ２とのずれが完全に解消される。そして、最終的にハウジング１１の傾斜面１１ｔが軸物２の端面２２に押し付けられ、ハウジング１１の傾斜面１１ｔによって軸物２が支持される（図２（Ｄ））。
【００２３】
したがって、上記センター出し治具１によれば、可動部１２が凹穴２１の底２１ｂに接触すると可動部１２がハウジング１１内に押し込まれるので、軸物２の端面２２に形成される凹穴２１が浅い場合であっても、軸物２のセンター出しを行うことができる（請求項１、２に対応する効果）。これにより、凹穴２１の深さが異なる複数種類の軸物を同一ラインで流す場合であってもセンター出し治具１を交換する必要がなく、装置の稼働率を向上させることができる。
【００２４】
また、凹穴２１の深さに合わせてセンター出し治具１の先端をカットする必要がないので、センター出し治具１の先端（可動部１２）と凹穴２１との間の隙間を大きくとることができ、センター出し治具１の中心軸Ｏ１と軸物２の中心軸Ｏ２とのずれが大きくても、確実に可動部１２を凹穴２１に挿入し、軸物２のセンター出しを行うことができる（請求項１、２に対応する効果）。
【００２５】
以上、本発明の実施形態について説明したが、上記実施形態は本発明の適用例の一つを示したものに過ぎず、本発明の技術的範囲を上記実施形態の具体的構成に限定する趣旨ではない。
【００２６】
例えば、可動部１２の軸物２側の形状を円錐台形状としたが、円錐形状としてもよい。
【００２７】
また、上記実施形態では、可動部１２がハウジング１１内に押し込まれる時の反力をスプリング１３によって発生させているが、油圧、空気圧等、他の手段で発生させる様にしてもよい。
【符号の説明】
【００２８】
１      センター出し治具
１１    ハウジング
１１ｔ  傾斜面（第１の傾斜面）
１１ｏ  開口
１２    可動部
１２ｔ  傾斜面（第２の傾斜面）
１３    スプリング（反力発生手段）
２      軸物
２１    凹穴
２２    端面
【図１】
0005926227.tif 000002
【図２】
0005926227.tif 000003